(57)【要約】【課題】設定の自由度が高く、かつ使い易い設定装置と、コンピュータをそのような設定装置として動作させる設定プログラムと、設定の自由度が高く、かつ使い易い画像データ処理システムを提供する。【解決手段】複数の設定項目それぞれに対応した複数の操作部分を有する、その操作部分に対する操作に応じて、その操作された操作部分に対応した設定項目に対する設定を行う設定操作部６３０と、設定操作部６３０の各操作部分に対する操作の履歴を記録する履歴記録部６４０と、複数の操作部分のうち、履歴記録部６４０に記録された履歴での操作頻度が所定程度以下である操作部分に対する操作を禁止する操作禁止部６５０とを備えた。【選択図】        図４
2007115168.tif 000002
【特許請求の範囲】
【請求項１】
複数の設定項目それぞれに対する設定を操作に応じて行う設定装置において、
前記複数の設定項目それぞれに対応した複数の操作部分を有する、該操作部分に対する操作に応じて、その操作された操作部分に対応した設定項目に対する設定を行う設定操作部と、
前記設定操作部の各操作部分に対する操作の履歴を記録する履歴記録部と、
前記複数の操作部分のうち、前記履歴記録部に記録された履歴での操作頻度が所定程度以下である操作部分に対する操作を禁止する操作禁止部とを備えたことを特徴とする設定装置。
【請求項２】
前記設定操作部が、前記複数の操作部分による一群の設定を複数の設定対象それぞれについて行うものであり、
前記履歴記録部が、前記操作部分に対する操作の履歴を前記設定対象毎に記録するものであり、
前記操作禁止部が、前記操作部分に対する操作の禁止を、前記設定対象別に行うものであることを特徴とする請求項１記載の設定装置。
【請求項３】
前記設定操作部の操作部分を操作する操作者を識別する識別部を備え、
前記履歴記録部が、前記操作部分に対する操作の履歴を、前記識別部によって識別された操作者に対応づけて記録するものであり、
前記操作禁止部が、前記操作部分に対する操作の禁止を、前記識別部で識別される操作者別に行うものであることを特徴とする請求項１記載の設定装置。
【請求項４】
前記設定操作部が、表示画面上に前記操作部分を表示し、操作が禁止された操作部分と操作可能な操作部分とでは表示形態を区別するものであることを特徴とする請求項１記載の設定装置。
【請求項５】
前記操作禁止部によって操作が禁止された操作部分について、所定の解除操作に応じて禁止を解除する禁止解除部を備えたことを特徴とする請求項１記載の設定装置。
【請求項６】
コンピュータに組み込まれ、該コンピュータを、複数の設定項目それぞれに対する設定を操作に応じて行う設定装置として動作させる設定プログラムにおいて、
該コンピュータ上で、
前記複数の設定項目それぞれに対応した複数の操作部分を有する、該操作部分に対する操作に応じて、その操作された操作部分に対応した設定項目に対する設定を行う設定操作部と、
前記設定操作部の各操作部分に対する操作の履歴を記録する履歴記録部と、
前記複数の操作部分のうち、前記履歴記録部に記録された履歴での操作頻度が所定程度以下である操作部分に対する操作を禁止する操作禁止部とを構築することを特徴とする設定プログラム。
【請求項７】
複数の設定項目それぞれに対する設定に応じた処理を画像データに施す画像データ処理部と、
前記複数の設定項目それぞれに対応した複数の操作部分を有する、該操作部分に対する操作に応じて、その操作された操作部分に対応した設定項目に対する設定を行う設定操作部と、
前記設定操作部の各操作部分に対する操作の履歴を記録する履歴記録部と、
前記複数の操作部分のうち、前記履歴記録部に記録された履歴での操作頻度が所定程度以下である操作部分に対する操作を禁止する操作禁止部とを備えたことを特徴とする画像データ処理システム。
【請求項８】
前記画像データ処理部が、編集装置で編集された画像データを印刷に適した画像データに変換する処理を行うものであることを特徴とする請求項７記載の画像データ処理システム。
【発明の詳細な説明】
【技術分野】
【０００１】
本発明は、複数の設定項目それぞれに対する設定を操作に応じて行う設定装置、コンピュータそのような設定装置として動作させる設定プログラム、および、複数の設定項目それぞれに対する設定に応じた処理を画像データに施す画像データ処理システムに関する。
【背景技術】
【０００２】
近年では、印刷分野も電子化が進んでおり、編集者が印刷物のページを編集用のコンピュータ上で編集し、そのページ上における文字や写真などの配置位置が確定された状態のページの画像を表した画像データを原稿として用いるという形態が普及している。
【０００３】
編集者がページを編集する際に使用するデータ形式は、ＰＳ（ＰｏｓｔＳｃｒｉｐｔ：登録商標）やＰＤＦ（Ｐｏｒｔａｂｌｅ  Ｄｏｃｕｍｅｎｔ  Ｆｏｒｍａｔ）などといったページ記述言語でページを記述するものが一般的である。このようなページ記述言語で記述されたページ記述データは、このままではプリンタ等の出力デバイスで出力することができないため、ＲＩＰ（Ｒａｓｔｅｒ  Ｉｍａｇｅ  Ｐｒｏｃｅｓｓｏｒ）においてこのページ記述データが、出力デバイスで出力可能なラスタデータに変換され、出力デバイスでは、このラスタデータに基づく画像が出力される。
【０００４】
ここで、印刷業者の間で広く利用されているＲＩＰシステムには、ページ記述データをラスタデータに変換するＲＩＰ装置だけでなく、印刷に関する一連の作業（ジョブ）の内容が記述されたファイルであるジョブチケットを、多岐にわたる設定項目を設定することで作成する設定装置が組み込まれていることが多い。このようなＲＩＰシステムでは、設定装置によって作成されたジョブチケットに従って、ＲＩＰ装置がページ記述データをラスタデータに変換する。このようなＲＩＰシステムに組み込まれた設定装置では、ジョブチケットに対する複数の設定項目についての設定が、モニタ画面に表示される設定画面を通じて行なわれる（例えば、非特許文献１参照。）。
【非特許文献１】「Ｘｃｅｌｌｅｎｔ  Ｖ１．１  取扱説明書」，第２章「ジョブプロパティの作成」，ｐ．１６−ｐ．６７
【発明の開示】
【発明が解決しようとする課題】
【０００５】
ジョブチケットの設定装置の中には、１００項目を超える設定項目を有するものがある。このような設定装置では、印刷に関して非常に広範な設定が可能である反面、設定に時間がかかる上に、設定ミスの可能性が高いという問題がある。
【０００６】
また、近年、印刷の分野では作業の専門化が進んでおり、担当者ごとに取り扱う印刷物の種類が決まっていることが多く、１つの種類の印刷物に対応するジョブチケットについて、印刷の度に適切に設定する必要のある設定項目は、複数の設定項目のうちの一部であることが多い。しかし、上記のように多数の設定項目を有する設定装置では、専門化された担当者は、専門的な設定が必要な設定項目を多数の設定項目の中から適切に区別して設定しなければならず、このような設定装置は、設定作業が煩雑で使いづらい。さらに、熟練の浅い担当者にとっては、必要な設定項目を多数の設定項目の中から適切に区別すること自体が困難であり一層使いづらい。そうかと言って、設定項目が少数に限定された設定装置では、設定の自由度が小さくて、最終的に得られる印刷物の品質が低いという問題がある。
【０００７】
また、ここまで、上記のＲＩＰシステムのような画像データ処理システムにおいてジョブチケットを作成するための設定を行なう設定装置について、設定の自由度を高めると使いづらくなるという問題を説明してきたが、このような問題は、複数の設定項目それぞれに対する設定を操作に応じて行なう設定装置一般について同様に生じる問題である。
【０００８】
本発明は、上記事情に鑑み、設定の自由度が高く、かつ使い易い設定装置と、コンピュータをそのような設定装置として動作させる設定プログラムと、設定の自由度が高く、かつ使い易い画像データ処理システムを提供することを目的とする。
【課題を解決するための手段】
【０００９】
上記目的を達成する本発明の設定装置は、複数の設定項目それぞれに対する設定を操作に応じて行う設定装置において、
上記複数の設定項目それぞれに対応した複数の操作部分を有する、その操作部分に対する操作に応じて、その操作された操作部分に対応した設定項目に対する設定を行う設定操作部と、
上記設定操作部の各操作部分に対する操作の履歴を記録する履歴記録部と、
上記複数の操作部分のうち、上記履歴記録部に記録された履歴での操作頻度が所定程度以下である操作部分に対する操作を禁止する操作禁止部とを備えたことを特徴とする。
【００１０】
本発明の設定装置によれば、上記複数の操作部分を有することから設定の自由度が高い。さらに、この本発明の設定装置によれば、ユーザによる複数回の使用によって、操作頻度が低い操作部分に対する操作が禁止される。その結果、必要な設定項目を多数の設定項目の中から適切に区別する手間が除かれるので設定作業が簡便なものとなり、熟練の浅い担当者にとっても使い易いものとなる。
【００１１】
ここで、本発明の設定装置において、「上記設定操作部が、上記複数の操作部分による一群の設定を複数の設定対象それぞれについて行うものであり、
上記履歴記録部が、上記操作部分に対する操作の履歴を上記設定対象毎に記録するものであり、
上記操作禁止部が、上記操作部分に対する操作の禁止を、上記設定対象別に行うものである」という形態は好ましい形態である。
【００１２】
この好ましい形態の設定装置は、その設定装置に、上記設定対象毎に、その設定対象に適したカスタマイズが施されるので、特定の種類の設定対象を専門的に取り扱うユーザ等にとって一層使い易い。
【００１３】
また、本発明の設定装置において、「上記設定操作部の操作部分を操作する操作者を識別する識別部を備え、
上記履歴記録部が、上記操作部分に対する操作の履歴を、上記識別部によって識別された操作者に対応づけて記録するものであり、
上記操作禁止部が、上記操作部分に対する操作の禁止を、上記識別部で識別される操作者別に行うものである」という形態も好ましい形態である。
【００１４】
ここで、上記にいう操作者は、個々のユーザであっても良く、あるいは、複数のユーザで構成されるグループ等であっても良い。
【００１５】
この好ましい形態の設定装置は、その設定装置に、上記操作者毎に、その操作者に適したカスタマイズが施されるので、特定の種類の設定対象を専門的に取り扱う個々のユーザやそのようなユーザが複数集まって構成されるグループ等にとって一層使い易い。
【００１６】
また、本発明の設定装置において、「上記設定操作部が、表示画面上に上記操作部分を表示し、操作が禁止された操作部分と操作可能な操作部分とでは表示形態を区別するものである」という形態も好ましい。
【００１７】
この好ましい形態の設定装置によれば、ユーザは、上記表示画面を見ながら、上記の設定項目に対する設定を行なうことができ、さらに、自動的なカスタマイズによって操作が禁止された操作部分についても目視で確認することができる。
【００１８】
また、本発明の設定装置において、「上記操作禁止部によって操作が禁止された操作部分について、所定の解除操作に応じて禁止を解除する禁止解除部を備えた」というも好ましい形態である。
【００１９】
この好ましい形態の設定装置によれば、自動的なカスタマイズによって一旦は操作が禁止された操作部分についても、その禁止を解除して、その操作部分に対応する設定項目について設定することができる。
【００２０】
また、上記目的を達成する本発明の設定プログラムは、コンピュータに組み込まれ、そのコンピュータを、複数の設定項目それぞれに対する設定を操作に応じて行う設定装置として動作させる設定プログラムにおいて、
そのコンピュータ上で、
上記複数の設定項目それぞれに対応した複数の操作部分を有する、その操作部分に対する操作に応じて、その操作された操作部分に対応した設定項目に対する設定を行う設定操作部と、
上記設定操作部の各操作部分に対する操作の履歴を記録する履歴記録部と、
上記複数の操作部分のうち、上記履歴記録部に記録された履歴での操作頻度が所定程度以下である操作部分に対する操作を禁止する操作禁止部とを構築することを特徴とする。
【００２１】
このような本発明の設定プログラムをコンピュータ内で実行することによって、設定の自由度が高く、かつ使い易い設定装置を容易に実現することができる。
【００２２】
なお、本発明にいう設定プログラムについては、ここではその基本形態のみを示すのにとどめるが、これは単に重複を避けるためであり、本発明にいう設定プログラムには、上記の基本形態のみではなく、前述した設定装置の各形態に対応する各種の形態が含まれる。
【００２３】
また、上記目的を達成する本発明の画像データ処理システムは、複数の設定項目それぞれに対する設定に応じた処理を画像データに施す画像データ処理部と、
上記複数の設定項目それぞれに対応した複数の操作部分を有する、その操作部分に対する操作に応じて、その操作された操作部分に対応した設定項目に対する設定を行う設定操作部と、
上記設定操作部の各操作部分に対する操作の履歴を記録する履歴記録部と、
上記複数の操作部分のうち、上記履歴記録部に記録された履歴での操作頻度が所定程度以下である操作部分に対する操作を禁止する操作禁止部とを備えたことを特徴とする。
【００２４】
また、本発明の画像データ処理システムは、「上記画像データ処理部が、編集装置で編集された画像データを印刷に適した画像データに変換する処理を行うものである」という形態であっても良い。
【００２５】
本発明の画像データ処理システムによれば、例えばページ記述データをラスタデータに変換するＲＩＰ処理等といった、画像データに対する処理について、自由度の高い設定を簡便に行なうことができる。
【００２６】
なお、本発明にいう画像データ処理システムについては、ここではその基本形態のみを示すのにとどめるが、これは単に重複を避けるためであり、本発明にいう画像データ処理システムには、上記の基本形態のみではなく、前述した設定装置の各形態に対応する各種の形態が含まれる。
【発明の効果】
【００２７】
以上、説明したように、本発明によれば、設定の自由度が高く、かつ使い易い設定装置と、コンピュータをそのような設定装置として動作させる設定プログラムと、設定の自由度が高く、かつ使い易い画像データ処理システムを提供することができる。
【発明を実施するための最良の形態】
【００２８】
以下図面を参照して本発明の実施の形態を説明する。
【００２９】
図１は、本発明の一実施形態が組み込まれる印刷システムを示す図である。
【００３０】
この図１の印刷システムは、オンデマンド印刷を行なうものであり、それぞれが編集装置を構成する２台のコンピュータ３０１，３０２と、ＲＩＰシステムを構成するコンピュータ１００と、オンデマンド印刷用のプリンタ２００とを備えている。
【００３１】
編集装置では、印刷物を構成するページのイメージを表わす画像データが編集され、その画像データが通信網３００を介してＲＩＰシステムに送られてくる。
【００３２】
ＲＩＰシステムは、編集装置から画像データを受け取り、その画像データをプリンタ２００用の、ラスタイメージで画像を表現したラスタデータに変換し、プリンタ２００に向けて出力する。なお画像データは、通信網３００を介して受け取られる以外に、ＣＤ−Ｒ（Ｃｏｍｐａｃｔ  Ｄｉｓｃ  Ｒｅｃｏｒｄａｂｌｅ）やＭＯ（光磁気）ディスク等といった記憶媒体が用いられて受け取られても良い。
【００３３】
また、このＲＩＰシステムには、後述するように本発明の設定装置の一実施形態が組み込まれており、編集装置で編集された画像データをラスタデータに変換してプリンタ２００に向けて出力するまでの一連の作業（ジョブ）の内容を記述したファイルであるジョブチケットを、複数の設定項目に対する設定によって作成する。そして、その作成したジョブチケットに従って、上記のジョブが実行される。ここで、このジョブチケットが、本発明にいう設定対象の一例に相当する。
【００３４】
プリンタ２００は、ＲＩＰシステムからラスタデータが送られてくると、そのラスタデータが表わす画像を出力する。
【００３５】
ここで、図１に示す印刷システムにおける、本発明の一実施形態としての特徴は、ＲＩＰシステムとして動作するコンピュータ１００における動作内容にある。そこで、以下では、このコンピュータ１００に着目して説明を行なう。
【００３６】
このＲＩＰシステムとして動作するコンピュータ１００は、ＣＰＵ、主記憶装置、ハードディスク、通信用ボード等が内蔵された本体１０１、この本体１０１からの指示により表示画面上に画像や文字列の表示を行なうＣＲＴディスプレイ１０２、このコンピュータにユーザの指示や文字情報を入力するためのキーボード１０３、上記ＣＲＴディスプレイ１０２の表示画面上の任意の位置を指定することにより、その位置に表示されているアイコン等に応じた指示を入力するマウス１０４を備えている。
【００３７】
本体１０１には、ＣＤ−ＲＯＭ１０５（図１には図示せず；図２参照）やＣＤ−Ｒが取り出し自在に装填され、そのように装填されたＣＤ−ＲＯＭ１０５やＣＤ−Ｒに記憶された情報を再生するＣＤ−ＲＯＭドライブが内蔵されている。また、本体１０１には、光磁気ディスク（ＭＯ）１０６（図１には図示せず；図２参照）が取り出し自在に装填され、そのように装填されたＭＯ１０６に対し情報の記録再生を行なうＭＯドライブも内蔵されている。
【００３８】
図２は、ＲＩＰシステムとして動作するコンピュータ１００のハードウェア構成図である。
【００３９】
このハードウェア構成図には、ＣＰＵ（中央演算処理装置）１１１、ＲＡＭ１１２、ＨＤＤ（ハードディスクドライブ）１１３、ＭＯドライブ１１４、ＣＤ−ＲＯＭドライブ１１５、および通信用ボード１１６が示されており、それらはバス１１０で相互に接続されている。
【００４０】
ＨＤＤ１１３は、記録媒体の一種であるハードディスク１２０を内蔵しており、このハードディスク１２０に対し情報の記録再生を行なう。
【００４１】
通信用ボード１１６は、ＬＡＮ（Ｌｏｃａｌ  Ａｒｅａ  Ｎｅｔｗｏｒｋ）等といった通信回線に接続される。ＲＩＰシステムとして動作するコンピュータ１００は、この通信用ボード１１６を介して接続される通信網３００によって他のコンピュータシステムとの間でデータの送受信を行なうことができ、プリンタ２００に向けたラスタデータの出力を行なうこともできる。
【００４２】
また、図２には、図示しない複数のＩ／Ｏインタフェースそれぞれを介してバス１１０に接続された、図１にも示したマウス１０４、キーボード１０３、ＣＲＴディスプレイ１０２が示されている。
【００４３】
ところで、本実施形態におけるＲＩＰシステムは、本発明の設定装置の一実施形態であって複数の設定項目についての設定によって上記のジョブチケットを作成する設定装置と、その設定装置によって作成される上記のジョブチケットに従って画像データをラスターデータに変換するＲＩＰ処理を行なうＲＩＰ装置とで構成される。
【００４４】
ここでは、ＣＤ−ＲＯＭ１０５に、本発明の設定プログラムの一実施形態およびＲＩＰプログラムとが記憶されている。このＣＤ−ＲＯＭ１０５は本体１０１内に装填され、そのＣＤ−ＲＯＭ１０５に記憶された設定プログラムおよびＲＩＰプログラムがＣＤ−ＲＯＭドライブ１１５によって読み込まれ、バス１１０を経由してハードディスク１２０内にインストールされる。
【００４５】
このハードディスク１２０内にインストールされた設定プログラムが起動されると、このハードディスク１２０内の設定プログラムはＲＡＭ１１２にロードされ、ＣＰＵ１１１により実行される。本発明の設定プログラムの一実施形態が起動されて実行されると、コンピュータ１００は上記の設定装置として動作し、ＲＩＰプログラムが起動されて実行されると、コンピュータ１００は上記のＲＩＰ装置として動作する。
【００４６】
図２では、設定プログラムおよびＲＩＰプログラムを記憶する記憶媒体としてＣＤ−ＲＯＭ１０５が例示されているが、これらのプログラムを記憶する記憶媒体はＣＤ−ＲＯＭに限られるものではなく、それ以外の光ディスク、ＭＯ、フレキシブルディスク（ＦＤ）、磁気テープなどの記憶媒体であってもよい。また、これらのプログラムは、記憶媒体を介さずに、通信網を介して直接にコンピュータに供給されるものであってもよい。
【００４７】
図３は、本発明の設定プログラムの一実施形態およびＲＩＰプログラムを示す図である。
【００４８】
この図３には、本発明の設定プログラムの一実施形態である設定プログラム５００および上記のＲＩＰプログラム７００とが記憶されたＣＤ−ＲＯＭ１０５が模式的に示されている。
【００４９】
設定プログラム５００は、ＲＩＰシステムとして動作するコンピュータ１００内で実行され、そのコンピュータ１００を本発明の設定装置の一実施形態として動作させるものであり、ログインアカウント入力部５１０と、チケット名称入力部５２０と、設定操作部５３０と、履歴記録部５４０と、操作禁止部５５０と、禁止解除部５６０とを有する。この設定プログラム５００各要素の詳細については後述する。
【００５０】
また、ＲＩＰプログラム７００は、コンピュータ１００内で実行され、そのコンピュータ１００を上記のＲＩＰ装置として動作させるものである。このＲＩＰプログラム７００の詳細については、本発明の主題ではないので説明を省略する。
【００５１】
図４は、本発明の設定装置の一実施形態およびＲＩＰ装置からなるＲＩＰシステムを示す機能ブロック図である。
【００５２】
この図４に示すＲＩＰシステム１０００は、図３の設定プログラム５００およびＲＩＰプログラムが図１のコンピュータ１００にインストールされて実行されることによってそれぞれ構成される設定装置６００とＲＩＰ装置８００とで構成される。ここで、このＲＩＰシステム１０００が、本発明にいう画像データ処理システムの一実施形態に相当し、設定装置６００は、本発明の設定装置の一実施形態に相当し、ＲＩＰ装置８００は、本発明の画像データ処理システムにおける画像データ処理部の一例に相当する。
【００５３】
設定装置６００は、ログインアカウント入力部６１０と、チケット名称入力部６２０と、設定操作部６３０と、履歴記録部６４０と、操作禁止部６５０と、禁止解除部６６０とを有する。
【００５４】
図３の設定プログラム５００およびＲＩＰプログラム７００が、図１のコンピュータ１００にインストールされると、その設定プログラム５００を構成するログインアカウント入力部５１０、チケット名称入力部５２０、設定操作部５３０、履歴記録部５４０、操作禁止部５５０、および禁止解除部５６０は、それぞれ図４に示す設定装置６００のログインアカウント入力部６１０、チケット名称入力部６２０、設定操作部６３０、履歴記録部６４０、操作禁止部６５０、および禁止解除部６６０を構築し、ＲＩＰプログラム７００は、ＲＩＰ装置８００を構築する。ここで、これら設定装置６００の各要素およびＲＩＰ装置８００は、コンピュータのハードウェアとそのコンピュータで実行されるＯＳやアプリケーションプログラムとの組合せで構成されているのに対し、図の設定プログラム５００の各要素およびＲＩＰプログラム７００は、アプリケーションプログラムのみによって構成されている。
【００５５】
また、この設定装置６００におけるログインアカウント入力部６１０、設定操作部６３０、履歴記録部６４０、操作禁止部６５０、および禁止解除部６６０は、それぞれ本発明の設定装置における識別部、設定操作部、履歴取得部、操作禁止部、および禁止解除部の各一例に相当する。
【００５６】
以下、この図４に示す設定装置６００の各要素を説明することによって、図３に示す設定プログラム５００の各要素も併せて説明する。
【００５７】
ログインアカウント入力部６１０は、このＲＩＰシステム１０００が起動すると、後述のアカウント入力画面をＣＲＴディスプレイ１０２の表示画面上に表示する。そして、このアカウント入力画面を介して、ログインアカウントがユーザによって入力される。ここで、本実施形態では、ログインアカウントは、個々のユーザに対応しているのではなく、ある程度似た種類の印刷物を扱う複数のユーザが所属する１つの部門に対応しており、その部門に所属する複数のユーザが、１つのログインアカウントを使い回すこととする。
【００５８】
図５は、アカウント入力画面を示す図である。
【００５９】
このアカウント入力画面６１１には、名称入力部６１１ａと、ＯＫボタン６１１ｂと、キャンセルボタン６１１ｃとが備えられている。ユーザが、名称入力部６１１ａにキーボード入力によってログインアカウントを入力し、ＯＫボタン６１１ｂをクリックすることで、コンピュータが、そのログインアカウントでログインされる。また、名称入力部６１１ａへの入力の後にキャンセルボタン６１１ｃがクリックされた場合には、名称入力部６１１ａへの入力がキャンセルされる。
【００６０】
図４に戻って説明を続ける。
【００６１】
チケット名称入力部６２０は、上記のログインアカウントが入力された後にＣＲＴディスプレイ１０２の表示画面上に表示される不図示の初期画面に対するユーザ操作によって、ジョブチケットの作成が指示されると、表示画面上に、後述のチケット名称入力画面を表示する。そして、このチケット名称入力画面を介して、チケット名称がユーザによって入力される。
【００６２】
図６は、チケット名称入力画面を示す図である。
【００６３】
このチケット名称入力画面６２１には、名称入力部６２１ａと、ＯＫボタン６２１ｂと、キャンセルボタン６２１ｃと、コメント欄６２１ｄとが備えられている。ユーザが、名称入力部６２１ａにキーボード入力によって所望の名称を入力し、ＯＫボタン６２１ｂをクリックすると、その所望の名称がチケット名称として入力される。また、名称入力部６２１ａへの入力の後にキャンセルボタン６２１ｃがクリックされた場合には、名称入力部６２１ａへの入力がキャンセルされる。さらに、このチケット名称入力画面６２１では、ユーザによってコメント欄６２１ｄに書き込まれたコメント文も、チケット名称に対応付けて取得される。
【００６４】
ここで、本実施形態では、設定装置６００においてジョブチケットが印刷物の種類毎に１つ作成され、同種の印刷物についてジョブチケットを設定する際には、１つのジョブチケットの設定内容を更新して使うことが想定されている。このような想定の下では、上記のチケット名称は、印刷物の種類毎に１つ用意され、その１つのチケット名称が、同種の印刷物が作成される度に使い回されることとなる。
【００６５】
再び、図４に戻って説明を続ける。
【００６６】
設定操作部６３０は、ジョブチケットを作成するための複数の設定項目それぞれに対応する複数の設定部を備えたジョブチケット設定画面を有し、上記のチケット名称入力部６２０においてチケット名称が入力されると、ＣＲＴディスプレイ１０２の表示画面上に、そのジョブチケット設定画面を表示する。そして、設定操作部６３０は、このジョブチケット設定画面を介したユーザの操作に応じて、上記の複数の設定項目それぞれに対する設定を行なう。この設定により、ジョブチケットが作成される。
【００６７】
図７は、ジョブチケット設定画面の一例を示す図である。
【００６８】
ジョブチケット設定画面６３１には、編集装置として動作しているコンピュータ３０１，３０２（図１参照）から送られてくる画像データが一時的に保管される入力フォルダの設定が行なわれる入力設定シートと、印刷物の色処理に関する設定が行なわれる色処理設定シートと、例えばアンチエイリアスの設定等といった画像品質に関する設定が行なわれる画像品質設定シートと、両面印刷や片面印刷などといった印刷の形態に関する設定が行なわれる印刷設定シートと、印刷物のソートや綴じ等といった後処理に関する設定が行なわれる後処理設定シートとが備えられている。また、入力設定シートには、その入力設定シートを表示させる入力設定タグ６３１ａが対応しており、同様に、色処理設定シート、画像品質設定シート、印刷設定シート、および後処理設定シートには、それぞれ色処理設定タグ６３１ｂ、画像品質設定タグ６３１ｃ、印刷設定タグ６３１ｄ、および後処理設定タグ６３１ｅが対応している。ジョブチケット設定画面６３１では、上記の複数のシートのうち、クリック操作を受けたタブに対応したシートが表示される。
【００６９】
この図６には、色処理設定タグ６３１ｂがクリックされて、ジョブチケット設定画面６３１に色処理設定画面が表示された様子が示されている。以降、この色処理設定画面を例に挙げて説明を続ける。
【００７０】
色処理設定画面には、カラーモード設定部６３１ｆ、ターゲットプロファイル設定部６３１ｇ、プリンタプロファイル設定部６３１ｈ、色再現設定部６３１ｉ、Ｋ色保存設定部６３１ｊ、ＲＧＢ保存設定部６３１ｋ、１次および２次色保存設定部６３１ｍ、高精度オーバープリント設定部６３１ｎ、特色透過率設定部６３１ｐ、特色マッチ設定部６３１ｒ、トーンカーブ設定部６３１ｓ、インク濃度設定部６３１ｔが備えられている。ここで、この色処理設定画面における各設定部が、本発明にいう操作部分の一例に相当する。
【００７１】
尚、この図６では、色処理設定画面の各設定部に、後述の操作禁止部６５０による操作の禁止処理が施されていない、色処理設定画面の初期状態が示されている。
【００７２】
カラーモード設定部６３１ｆでは、画像をモノクロで出力するグレーモードと、シアン（Ｃ），マゼンタ（Ｍ），イエロー（Ｙ），ブラック（Ｋ）４色の色空間で色を定義した画像データに専用的に対応して色を出力するＣＭＹＫ専用モードと、レッド（Ｒ），グリーン（Ｇ），ブルー（Ｂ）４色の色空間で色を定義した画像データやＣＭＹＫ４色の色空間で色を定義した画像データに汎用的に対応して色を出力する汎用モードとの３種類のカラーモードのうち、所望のカラーモードがプルダウンメニューの操作によって設定される。
【００７３】
ターゲットプロファイル設定部６３１ｇでは、例えば編集元におけるモニタ等といった、図１のプリンタ２００で再現させたい色を出力する出力デバイスにおける画像データと出力色との対応関係を定義したターゲットプロファイルが、所望の出力デバイスに対応したターゲットプロファイルにプルダウンメニューの操作によって設定される。
【００７４】
プリンタプロファイル設定部６３１ｈでは、図１に示す印刷システムに装備されたプリンタ２００における画像データと出力色との対応関係を定義したプリンタプロファイルがプルダウンメニューの操作によって設定される。
【００７５】
色再現設定部６３１ｉでは、ＩＣＣ推奨の４種類のレンダリングインテントの中からプルダウンメニューの操作によって所望のレンダリングインテントが選ばれることで、図１に示すプリンタ２００でどのように色を再現させるかが設定される。
【００７６】
Ｋ色保存設定部６３１ｊでは、チェックボックスの操作によって、画像中で、（Ｃ，Ｍ，Ｙ，Ｋ）＝（０，０，０，１００）に対応する画像部分の色を図１に示すプリンタ２００でそのまま出力するか否かが設定され、ＲＧＢ保存設定部６３１ｋでは、チェックボックスの操作によって、画像中で、Ｒ１００％、Ｇ１００％、Ｂ１００％それぞれに対応する画像部分の色をそのまま出力するか否かが設定され、１次および２次色保存設定部６３１ｍでは、チェックボックスの操作によって、画像中で、１次および２次色であるＣＭＹＲＧＢの６色の画像部分の色をそのまま出力するか否かが設定される。
【００７７】
高精度オーバープリント設定部６３１ｎでは、画像オブジェクトが互いに重なり合った部分の色を高精度で再現するか否かがチェックボックスの操作によって設定される。
【００７８】
特色透過率設定部６３１ｐでは、特色の画像オブジェクトの下の色をどの程度残すかが設定される。この設定は、完全に残す透明と、半分だけ残す半透明と、全く残さない不透明との３種類の中からプルダウンメニューの操作によって所望の程度が選ばれることで行なわれる。
【００７９】
特色マッチ設定部６３１ｒでは、特色を、ＲＩＰシステム１０００が有している特色データベースに則って出力するか、編集元から送らてきた画像データにおける定義に則って出力するかがプルダウンメニューの操作によって設定される。
【００８０】
トーンカーブ設定部６３１ｓでは、階調補正を定義したトーンカーブが、プルダウンメニューの操作によって所望のトーンカーブに設定される。
【００８１】
インク濃度設定部６３１ｔでは、図１に示すプリンタ２００で出力させるインクの濃度が、５段階の濃度の中からプルダウンメニューの操作によって所望の濃度が選ばれることで設定される。
【００８２】
以上に説明した色処理設定画面を含む、各種設定画面での設定が終了した後、ＯＫボタン６３１ｕがクリックされると設定内容が承認され、キャンセルボタン６３１ｒがクリックされると設定内容がキャンセルされる。そして、設定内容が承認されると、それらの設定内容からなるジョブチケットが上記のログインアカウントとチケット名称との両方に対応付けられて図２に示すハードディスク１２０に記憶される。その記憶されたジョブチケットは、図４のＲＩＰ装置８００によって読み出され、ＲＩＰ装置８００では、編集装置で編集された画像データが、そのジョブチケットに従ってラスターデータに変換され、プリンタ２００に渡される。
【００８３】
本実施形態では、上述したように、１つのログインアカウントが１つの部門に所属する複数のユーザ間で使い回され、１つのチケット名称が同種の印刷物に対して使い回されるといった運用が想定されている。ここで、上述したように、１つの部門に所属する複数のユーザは、ある程度似た種類の印刷物を扱う。その結果、設定操作部６３０が有するジョブチケット設定画面６３１において、操作される設定部は、全設定部のうちの１部に限られてくる。また、同種の印刷物に対して１つのチケット名称が割り振られてこの設定装置６００が運用される場合には、操作される設定部は、さらに限定されることとなる。
【００８４】
本実施形態では、この設定装置６００が、１つのログインアカウントおよび１つのチケット名称で繰返し使われることで、設定操作部６３０が有するジョブチケット設定画面６３１が、自動的にカスタマイズされる。このジョブチケット設定画面６３１に対するカスタマイズは、ジョブチケット設定画面６３１の複数の設定部のうち、複数回の使用において殆ど使われなかった設定部の操作が禁止されることで行なわれる。この設定装置６００におけるカスタマイズ機能は、以下に説明する履歴記録部６４０と、操作禁止部６５０によって担われている。
【００８５】
図４の履歴記録部６４０は、上記の設定操作部６３０において、ジョブチケット設定画面６３１の各設定部に対して行なわれた設定操作の履歴を、上記のログインアカウントとチケット名称との両方に対応付けて記録する。
【００８６】
操作禁止部６５０は、ジョブチケット設定画面６３１における複数の設定部のうち、履歴記録部６４０に記録された履歴での操作頻度が所定程度以下である設定部に対する操作を禁止する。
【００８７】
図８は、図７に示す色処理設定画面で一部の設定部に対する操作が禁止された様子を示す図である。
【００８８】
この図８の例では、カラーモード設定部６３１ｆと、ターゲットプロファイル設定部６３１ｇと、色再現設定部６３１ｉとを除いた９つの設定部に対する操作が禁止された様子が示されている。操作が禁止された設定部では、プルダウンメニューの操作や、チェックボックスの操作ができなくなっており、さらに、操作が禁止された状態（ロック状態）にあることが、各設定部がグレーで塗りつぶされることで視覚的に示される。
【００８９】
以上、履歴記録部６４０および操作禁止部６５０の働きの概略について説明したが、詳細については後にまわし、以下では、まず図４の禁止解除部６６０について説明する。
【００９０】
この禁止解除部６６０は、一旦、操作が禁止された設定部について、その操作の禁止を解除する。
【００９１】
図９は、設定部に対する操作の禁止が図４の禁止解除部６６０によって解除される様子を表わす図であり、図１０は、操作の禁止が解除された設定部を示す図である。
【００９２】
禁止解除部６６０は、各設定部の名称部分がクリックされると、その設定部に対する操作の禁止（ロック）および禁止の解除（ロック解除）を設定するプルダウンメニューを表示する。
【００９３】
図９には、図８の例において、操作が禁止された状態（ロック状態）にある設定部のうち、プリンタプロファイル設定部６３１ｈについて、そのプルダウンメニュー６３１ｈ＿１が表示された様子が示されている。そして、そのプルダウンメニュー６３１ｈ＿１において、ロック解除が選択されると、禁止解除部６６０が操作の禁止を解除し、図１０に示すように、プリンタプロファイル設定部６３１ｈに対する塗りつぶしを除去する。これにより、操作の禁止が解除されて操作が可能な状態（アンロック状態）にあることが視覚的に示される。
【００９４】
また、本実施形態では、上記のロックおよびロック解除を設定するプルダウンメニューにおいてロックが選択された場合には、上記の操作禁止部６５０によって、そのメニューに対応する設定部がロック状態にされる。
【００９５】
次に、この設定装置６００で実行される、１回のジョブチケットの作成に関わる一連の処理の流れについて説明する。尚、以下の説明では、図４に示す各構成要素については、特に図番を断らずに参照する。
【００９６】
図１１は、図４の設定装置６００で実行される処理のメインルーチンを表わすフローチャートである。このフローチャートにおける処理は、特に記述しない場合には、設定操作部６３０によって実行される。また、このフローチャートでは処理の流れが実線の矢印で示され、データの流れが点線の矢印で示されている。これらのことは、後述のサブルーチンのフローチャートを示す図においても同様である。
【００９７】
このフローチャートが示す処理は、ＲＩＰシステム１０００が起動するとスタートする。処理がスタートすると、まず、ログインアカウント入力部６１０によってログインアカウントが入力され、さらに、ユーザが不図示の初期画面においてジョブチケットの作成を指示すると、チケット名称入力部６２０によってチケット名称が入力される（ステップＳ１０１）。すると、そのログインアカウントにおける、そのチケット名称でのジョブチケットの作成が初回であるか否かが判定される（ステップＳ１０２）。
【００９８】
ステップＳ１０２の処理において、このジョブチケットの作成が初回であると判定された場合（ステップＳ１０２におけるＹｅｓ判定）、ジョブチケットの設定内容を表わすジョブ設定データＪ１として、所定の初期内容を表わすジョブ設定データＪ１が作成される（ステップＳ１０３）。さらに、ジョブチケット設定画面６３１の各設定部がロック状態とアンロック状態とのいずれの状態に設定されているか（ロック／アンロック状態）を表わすロック情報Ｊ２として、ジョブチケット設定画面６３１における全設定部がアンロック状態にある初期状態を表わすロック情報Ｊ２が作成される（ステップＳ１０４）。
【００９９】
一方、ステップＳ１０２の処理において、このジョブチケットの作成が初回ではないと判定された場合（ステップＳ１０２におけるＮｏ判定）には、上記のステップＳ１０３の処理とステップＳ１０４の処理とが省かれて、次の処理（ステップＳ１０５）に進む。
【０１００】
ステップＳ１０５では、現時点におけるジョブ設定データＪ１が、ユーザ操作前の設定内容を表わす情報Ｊ３として一時的に保存される（ステップＳ１０３）。ここで、このステップＳ１０３で保存されるジョブ設定データＪ１は、今回が初回の設定であった場合には、上記のステップＳ１０３で作成されたジョブ設定データＪ１であり、２回目以降の設定であった場合には、前回の設定で作成されたジョブ設定データＪ１である。
【０１０１】
続いて、ジョブ設定データＪ１が表わす設定内容のジョブチケット設定画面６３１が、全設定部がアンロック状態で表示される（ステップＳ１０６）。次に、現時点におけるロック情報Ｊ２が読み出されて、そのロック情報Ｊ２に基いて、操作禁止部６５０が、ジョブチケット設定画面６３１の表示を変更し（ステップＳ１０７）、さらに、そのロック情報Ｊ２が、ジョブチケット設定画面６３１における、ユーザ操作前のロック／アンロック状態を表わす情報Ｊ４として一時的に保存される（ステップＳ１０８）。ここで、ステップＳ１０７で読み出されるロック情報Ｊ２は、今回が初回の設定であった場合には、上記のステップＳ１０４で作成されたロック情報Ｊ２であり、２回目以降の設定であった場合には、前回の設定で作成されたロック情報Ｊ２である。
【０１０２】
上記のステップＳ１０８の処理が終了すると、このステップＳ１０８に至る処理で表示されたジョブチケット設定画面６３１に対するユーザの操作に応じたジョブチケットの作成処理であるサブルーチンが実行される（ステップＳ２１０）。
【０１０３】
図１２は、ジョブチケット設定画面６３１に対するユーザの操作に応じたジョブチケットの作成処理であるサブルーチンを表わすフローチャートである。
【０１０４】
このサブルーチンが開始されると、この設定装置６００は、ジョブチケット設定画面６３１に対するユーザ操作を待つ待機状態となる（ステップＳ２１１）。
【０１０５】
そして、ジョブチケット設定画面６３１のいずれか１つの設定部に対するユーザの操作が実行されると、まず、その操作が、ロックの解除操作であったか否かが判定される（ステップＳ２１２）。
【０１０６】
ユーザの操作がロックの解除操作であった場合（ステップＳ２１２におけるＹｅｓ判定）、その解除操作を受けた設定部の名称を表わす情報Ｊ５が一時的に保存される（ステップＳ２１３）。さらに、図１１のメインルーチンにおけるステップＳ１０８で一時的に保存された、ユーザ操作前のロック／アンロック状態を表わす情報Ｊ４が、ロックの解除操作を受けた設定部について変更され、その変更後のロック／アンロック状態を表わす情報Ｊ４が一時的に保存されて（ステップＳ２１４）、ユーザ操作の待機状態（ステップＳ２１１）に戻る。
【０１０７】
一方、ユーザの操作がロックの解除操作ではなかった場合（ステップＳ２１２におけるＮｏ判定）には、そのユーザの操作がロックの設定操作であったか否かが判定される（ステップＳ２１５）。
【０１０８】
ユーザの操作がロックの設定操作であった場合（ステップＳ２１５におけるＹｅｓ判定）、上記のステップＳ２１４において、ロック／アンロック状態を表わす情報Ｊ４が、ロックの設定操作を受けた設定部について変更され、その変更後のロック／アンロック状態を表わす情報Ｊ４が一時的に保存されてユーザ操作の待機状態（ステップＳ２１１）に戻る。
【０１０９】
一方、ユーザの操作がロックの設定操作ではなかった場合（ステップＳ２１５におけるＮｏ判定）には、そのユーザの操作が、その設定部の設定内容の変更操作であったか否かが判定される（ステップＳ２１６）。
【０１１０】
ユーザの操作が設定内容の変更操作であった場合（ステップＳ２１６におけるＹｅｓ判定）、図１１のメインルーチンにおけるステップＳ１０３で一時的に保存された、ユーザ操作前の設定内容を表わす情報Ｊ３が、変更操作を受けた設定部について変更され、その変更後の設定内容を表わす情報Ｊ３が一時的に保存されて（ステップＳ２１７）、ユーザ操作の待機状態（ステップＳ２１１）に戻る。
【０１１１】
一方、ユーザの操作が設定部の設定内容の変更操作ではなかった場合（ステップＳ２１６におけるＮｏ判定）、そのユーザの操作が、ジョブ設定画面のＯＫボタン６３１ｕの押下であったか否かが判定される（ステップＳ２１８）。
【０１１２】
ＯＫボタン６３１ｕが押下されていない場合（ステップＳ２１８におけるＮｏ判定）、そのユーザの操作が、ジョブ設定画面のキャンセルボタン６３１ｖの押下であったか否かが判定され（ステップＳ２１９）、キャンセルボタン６３１ｖも押下されていない場合（ステップＳ２１９におけるＮｏ判定）には、ユーザ操作の待機状態（ステップＳ２１１）に戻る。
【０１１３】
以上、説明した処理は、ジョブ設定画面のＯＫボタン６３１ｕが押下されるか（ステップＳ２１８におけるＹｅｓ判定）、キャンセルボタン６３１ｖが押下されるまで（ステップＳ２１９におけるＹｅｓ判定）繰り返される。そして、ＯＫボタン６３１ｕあるいはキャンセルボタン６３１ｖが押下されると、このサブルーチンが終了して図１１のメインルーチンに戻る。
【０１１４】
このメインルーチンでは、ステップＳ２１０のサブルーチンが終了すると、そのサブルーチンが、キャンセルボタン６３１ｖの押下によって終了されたか否かが判定され（ステップＳ１０９）、キャンセルボタン６３１ｖの押下によって終了された場合には（ステップＳ１０９におけるＹｅｓ判定）、このメインルーチンも終了する。
【０１１５】
一方、ステップＳ２１０が、ＯＫボタン６３１ｕの押下によって終了された場合には（ステップＳ１０９におけるＮｏ判定）、履歴記録部６４０によって、ステップＳ２１０でのジョブチケットの作成処理における、ジョブチケット設定画面６３１の各設定部に対する操作の履歴を記録するサブルーチンが実行される（ステップＳ２２０）。
【０１１６】
図１３は、ジョブチケット設定画面６３１の各設定部に対する操作の履歴を記録するサブルーチンを表わすフローチャートである。この図１３のフローチャートの処理は、特に記述しない場合は、履歴記録部６４０によって実行される。
【０１１７】
このサブルーチンが開始されると、図２に示すハードディスク１２０内に、今回、図１２のサブルーチンが示す作成処理で実行された操作の履歴を表わす、今回の履歴情報Ｊ６のための記録領域が確保される（ステップＳ２２１）。ここで、本実施形態では、この記録領域は、上記のユーザアカウントおよびチケット名称に対応付けられて確保される。
【０１１８】
次に、全設定部のうち、所定の順位で選ばれた設定部について、ステップＳ２１０の作成処理における設定内容変更の有無が、上記のジョブ設定データＪ１と、図１２のサブルーチンが示す作成処理を経た後の設定内容を表わす情報Ｊ３との比較に基いて検査される（ステップＳ２２２）。
【０１１９】
検査結果が変更有りを示すものであった場合（ステップＳ２２３におけるＹｅｓ判定）、ステップＳ２２１で確保された領域に、検査対象の設定部に対してユーザ操作が有ったという履歴が、今回の履歴情報Ｊ６の一部として記録される（ステップＳ２２４）。一方、検査結果が変更無しを示すものであった場合（ステップＳ２２３におけるＮｏ判定）には、検査対象の設定部に対してユーザ操作が無かったという履歴が記録される（ステップＳ２２５）。
【０１２０】
以上に説明した処理は、全設定部について検査および履歴の記録が終了するまで（ステップＳ２２６におけるＹｅｓ判定）繰り返される。
【０１２１】
全設定部について検査および履歴の記録が終了した場合（ステップＳ２２６におけるＹｅｓ判定）には、次の処理（ステップＳ２２７）に進む。
【０１２２】
ステップＳ２２６までの処理で作成された履歴情報Ｊ６において、ユーザ操作が無かったという履歴が記録されている設定部の中には、設定内容の変更処理は受けていないが、ロックの解除操作なら受けたという設定部が含まれている可能性がある。そこで、ステップＳ２２７では、このロックの解除操作のみを受けた設定部について、履歴情報Ｊ６における履歴が、ユーザ操作が有ったという履歴に変更され、このステップＳ２２７の処理を経て、今回の作成処理に対応する履歴情報Ｊ６が完成される。
【０１２３】
以上説明したステップＳ２２７までの処理が終了すると、このサブルーチンが終了して図１１のメインルーチンに戻る。
【０１２４】
メインルーチンでは、ステップＳ２２０のサブルーチンが終了すると、図１２のサブルーチンが示す作成処理を経た後の設定内容を表わす情報Ｊ３が読み出され、その情報Ｊ３が、今回の作成処理で新たに設定されたジョブチケットの設定内容を表わすジョブ設定データＪ１として保存される（ステップＳ１１０）。尚、本実施形態では、このジョブ設定データＪ１は、上記のユーザアカウントおよびチケット名称に対応付けられて保存される。
【０１２５】
次に、今回の作成処理を経た後の、ジョブチケット設定画面６３１の各設定部のロック／アンロック状態を表わす、今回のロック情報Ｊ２を作成するサブルーチンが実行される（ステップＳ２３０）。
【０１２６】
図１４は、今回のロック情報Ｊ２を作成するサブルーチンを表わすフローチャートである。
【０１２７】
このサブルーチンが開始されると、まず、図２のハードディスク１２０内に、今回のユーザアカウントおよびチケット名称に対応して過去に実行された作成処理に対応する複数の履歴情報Ｊ６が、所定回数分存在するか否かが判定される（ステップＳ２３１）。
【０１２８】
履歴情報Ｊ６が所定回数分存在しない場合（ステップＳ２３１におけるＮｏ判定）には、図１２のサブルーチンが示す作成処理において一時的に保存されたロック／アンロック状態を表わす情報Ｊ４が読み出され、その情報Ｊ４が、今回のロック情報Ｊ２として保存されて（ステップＳ２３２）、このサブルーチンが終了して図１１のメインルーチンに戻る。
【０１２９】
一方、履歴情報Ｊ６が所定回数分存在する場合（ステップＳ２３１におけるＹｅｓ判定）には、その所定回数分の履歴情報Ｊ６が読み出される（ステップＳ２３３）。
【０１３０】
次に、ジョブチケット設定画面６３１の全設定部のうち、履歴の記録と同じ順位で選ばれた設定部について、上記の複数の履歴情報Ｊ６の中に、ユーザ操作が有ったという履歴が全く記録されていないか否かが判定される（ステップＳ２３４）。
【０１３１】
ユーザ操作が有ったという履歴が全く記録されていない場合（ステップＳ２３４におけるＹｅｓ判定）、前回の設定時におけるロック情報Ｊ２に、この設定部についてのロック／アンロック状態として、操作が禁止されていることを示すロック状態が上書きされる（ステップＳ２３５）。
【０１３２】
一方、ユーザ操作が有ったという履歴が１つでも記録されていた場合（ステップＳ２３４におけるＮｏ判定）、図１２のサブルーチンが示す作成処理において一時的に保存されたロック／アンロック状態を表わす情報Ｊ４の中から、この設定部についての今回のロック／アンロック状態が検索される（ステップＳ２３６）。
【０１３３】
そして、検索されたロック／アンロック状態が、操作が禁止されていることを示すロック状態であるか否かが判定され（ステップＳ２３７）、ロック状態であった場合（ステップＳ２３７におけるＹｅｓ判定）には、上記のステップＳ２３５が実行されて、ロック情報Ｊ２に、この設定部についてのロック／アンロック状態として、そのロック状態が上書きされる。一方、取得されたロック／アンロック状態が、操作が可能なことを示すアンロック状態であった場合（ステップＳ２３７におけるＮｏ判定）には、ロック情報Ｊ２に、この設定部についてのロック／アンロック状態として、操作が可能なことを示すアンロック状態が上書きされる（ステップＳ２３８）。
【０１３４】
以上説明したステップＳ２３４からステップＳ２３８までの処理は、全設定部についてロック／アンロック状態の上書きが終了するまで（ステップＳ２３９におけるＹｅｓ判定）繰り返されれる。
【０１３５】
全設定部についてロック／アンロック状態の上書きが終了すると（ステップＳ２２６におけるＹｅｓ判定）、全設定部についてロック／アンロック状態が上書きされたロック情報Ｊ２が今回のロック情報Ｊ２として図２のハードディスク１２０に保存されて、このサブルーチンが終了して図１１のメインルーチンに戻る。
【０１３６】
メインルーチンでは、ステップＳ２３０のサブルーチンが終了すると、このメインルーチンも終了する。
【０１３７】
以上説明したフローチャートが示す処理を実行することにより、設定装置６００は、あるログインアカウントにおいて、あるチケット名称でのジョブチケットの作成が繰り返されると、ジョブチケット設定画面６３１が、そのログインアカウントにおける、そのチケット名称でのジョブチケットの作成に適した設定画面に自動的にカスタマイズされる。
【０１３８】
これにより、ジョブチケット設定画面における不要な設定部に対する操作が除かれ、設定操作が軽減される。さらに、本実施形態の設定装置６００によれば、ある部門において、操作に熟練したユーザがこの設定装置６００を一定期間使用することで、ジョブチケット設定画面６３１を、その部門での使用に適した設定画面にカスタマイズする等といった運用も可能となる。
【０１３９】
尚、上記では本発明にいう設定装置の一実施形態として、印刷分野において、ユーザ操作に応じてジョブチケットの作成を行なう設定装置６００を例示したが、本発明はこれに限るものではなく、本発明にいう設定装置は、複数の設定項目それぞれに対する設定を操作に応じて行なう他の設定装置について一般的に応用することができる。
【０１４０】
また、上記では、本発明にいう操作禁止部の一例として、ログインアカウントとチケット名称との双方に対応付けて設定部に対する操作を禁止する操作禁止部６６０を例示したが、本発明はこれに限るものではない。本発明の操作禁止部は、例えば、ログインアカウントのみに対応付けて設定部に対する操作を禁止するものであっても良く、あるいはチケット名称のみに対応付けて設定部に対する操作を禁止するものであっても良い。
【図面の簡単な説明】
【０１４１】
【図１】本発明の一実施形態が組み込まれる印刷システムを示す図である。
【図２】ＲＩＰシステム１０００を構成するコンピュータのハードウェア構成図である。
【図３】本発明の設定プログラムの一実施形態およびＲＩＰプログラムを示す図である。
【図４】本発明の設定装置の一実施形態およびＲＩＰ装置からなるＲＩＰシステムを示す機能ブロック図である。
【図５】アカウント入力画面を示す図である。
【図６】チケット名称入力画面を示す図である。
【図７】ジョブチケット設定画面の一例を示す図である。
【図８】図７に示す色処理設定画面で一部の設定部に対する操作が禁止された様子を示す図である。
【図９】設定部に対する操作の禁止が図４の禁止解除部６６０によって解除される様子を表わす図である。
【図１０】操作の禁止が解除された設定部を示す図である。
【図１１】図４の設定装置６００で実行される処理のメインルーチンを表わすフローチャートである。
【図１２】ジョブチケット設定画面６３１に対するユーザの操作に応じたジョブチケットの作成処理であるサブルーチンを表わすフローチャートである。
【図１３】ジョブチケット設定画面６３１の各設定部に対する操作の履歴を記録するサブルーチンを表わすフローチャートである。
【図１４】今回のロック情報Ｊ２を作成するサブルーチンを表わすフローチャートである。
【符号の説明】
【０１４２】
１００，３０１，３０２    コンピュータ
１０１    本体
１０２    ＣＲＴディスプレイ
１０３    キーボード
１０４    マウス
１０５    ＣＤ−ＲＯＭ
１０６    光磁気ディスク
１１０    バス
１１１    ＣＰＵ
１１２    ＲＡＭ
１１３    ＨＤＤ
１１４    ＭＯドライブ
１１５    ＣＤ−ＲＯＭドライブ
１１６    通信用ボード
１２０    ハードディスク
２００    プリンタ
３００    通信網
５００    設定プログラム
５１０    ログインアカウント入力部
５２０    チケット名称入力部
５３０    設定操作部
５４０    履歴記録部
５５０    操作禁止部
５６０    禁止解除部
６００    設定装置
６１０    ログインアカウント入力部
６１１    アカウント入力画面
６１１ａ    名称入力部
６１１ｂ    ＯＫボタン
６１１ｃ    キャンセルボタン
６２０    チケット名称入力部
６２１    チケット名称入力画面
６２１ａ    名称入力部
６２１ｂ    ＯＫボタン
６２１ｃ    キャンセルボタン
６２１ｄ    コメント欄
６３０    設定操作部
６３１    ジョブチケット設定画面
６３１ａ    入力設定タグ
６３１ｂ    色処理設定タグ
６３１ｃ    画像品質設定タグ
６３１ｄ    印刷設定タグ
６３１ｅ    後処理設定タグ
６３１ｆ    カラーモード設定部
６３１ｇ    ターゲットプロファイル設定部
６３１ｈ    プリンタプロファイル設定部
６３１ｈ＿１    プルダウンメニュー
６３１ｉ    色再現設定部
６３１ｊ    Ｋ色保存設定部
６３１ｋ    ＲＧＢ保存設定部
６３１ｍ    １次および２次色保存設定部
６３１ｎ    高精度オーバープリント設定部
６３１ｐ    特色透過率設定部
６３１ｒ    特色マッチ設定部
６３１ｓ    トーンカーブ設定部
６３１ｔ    インク濃度設定部
６３１ｕ    ＯＫボタン
６３１ｖ    キャンセルボタン
６４０    履歴記録部
６５０    操作禁止部
６６０    禁止解除部
７００    ＲＩＰプログラム
８００    ＲＩＰ装置
１０００    ＲＩＰシステム
【図１】
2007115168.tif 000003
【図２】
2007115168.tif 000004
【図３】
2007115168.tif 000005
【図４】
2007115168.tif 000006
【図５】
2007115168.tif 000007
【図６】
2007115168.tif 000008
【図７】
2007115168.tif 000009
【図８】
2007115168.tif 000010
【図９】
2007115168.tif 000011
【図１０】
2007115168.tif 000012
【図１１】
2007115168.tif 000013
【図１２】
2007115168.tif 000014
【図１３】
2007115168.tif 000015
【図１４】
2007115168.tif 000016